(57)【要約】本発明は、固定部（７０２）と管状打抜および／またはリベット部（７０４）とからなる固定要素（７００）に関する。打抜および／またはリベット部は、固定要素が金属部品に設置されるように設けられ、固定部は物品が金属部品に設置されるように設けられる。受け面（７０８）が、固定部と打抜および／またはリベット部との移行部の領域に設けられ、この受け面は、半径方向および／または円錐状に延在するとともに捩れに対する固定用特徴部（７０１、７０２）を選択的に備えている。管状打抜および／またはリベット部の自由前端面領域（７１４）には、半径方向内側に自由前端面領域に向かって広がった円錐状切断面（７１６）が設けられ、半径方向外側に丸み付けられた衝撃および牽引面（７１８）が設けられる。切断面と衝撃および牽引面は、打抜および／またはリベット部の自由前端面の環状前縁（７２０）で接する。本発明は、削れの発生を防止する丸み付けられた衝撃および牽引面の形状によって特徴付けられている。
2005504243.tif 000002
【特許請求の範囲】
【請求項１】
締結部（７０２）と管状せん孔および／またはリベット部（７０４）とを有する締結要素（７００）であって、管状せん孔および／またはリベット部（７０４）は金属薄板部品へ締結要素を取り付けるために設計されたものであり、締結部は金属薄板部品へ物品を取り付けるために設計されたものであり、締結部（７０２）から管状せん孔および／またはリベット部への移行領域において、半径方向および／または円錐形状に延在する接触面（７０８）が設けられ、この接触面は回転を防止する特徴部（７１０、７１２）を選択的に有するものであり、管状せん孔および／またはリベット部の自由端面（７１４）は、半径方向内側に、自由端面の方向に広がる円錐状傾斜面すなわち切断面（７１６）を有し、半径方向外側には丸み付けられた押込みおよび引出し面（７１８）を有し、傾斜面すなわち切断面（７１６）と押込みまたは引出し面（７１８）とは、管状せん孔および／またはリベット部（７０４）の自由端面において環状端面縁部（７２０）で接する締結要素において、
円錐状傾斜面すなわち切断面（７１６）は、仮想上の直角三角形の斜辺を形成し、管状せん孔および／またはリベット部（７０４）の中央長手方向軸（７２６）に垂直な辺の長さは、０．１０ｍｍ±０．０３ｍｍであり、管状せん孔および／またはリベット部（７０４）の半径方向壁厚（Ｒ）は、締結部の有効寸法の関数として寸法決めされ、
丸み付けられた押込みおよび引出し面（７１８）は、対応する半径方向壁厚（Ｒ）よりも０．１ｍｍ±０．０３ｍｍ小さい曲率半径を有し、丸み付けられた押込みおよび引出し面（７１８）の曲率中心（７２７）は、環状端面縁部（７２０）から離れる方向で締結部（７０２）に向って延在する軸に平行な仮想上の円柱（７２８）の表面上にあり、曲率中心（７２７）は、仮想上の軸方向に平行な円柱（７２８）の表面上でかつせん孔および／またはリベット部に沿った点に位置づけられ、環状端面縁部（７２０）における丸み付けられた押込みおよび引出し面（７１８）に対する接線（７３０）は、中心長手軸（７２６）に垂直であることを特徴とする締結要素。
【請求項２】
管状せん孔および／またはリベット部（７０４）の半径方向壁厚（Ｒ）は、締結部の有効寸法の関数として、
有効寸法が５ｍｍの場合には、Ｒは１．２５±０．０５ｍｍ、
有効寸法が６ｍｍの場合には、Ｒは１．２５±０．０５ｍｍ、
有効寸法が８ｍｍの場合には、Ｒは１．５０±０．０５ｍｍ、
有効寸法が１０ｍｍの場合には、Ｒは１．８２±０．０５ｍｍ、
のように寸法決めされることを特徴とする請求項１記載の締結要素。
【請求項３】
締結要素はボルト要素であり、締結部にはネジ円柱が設けられるか、あるいはネジ円柱を設けることができ、ネジ円柱の外径によって締結部の有効寸法が構成されることを特徴とする請求項１または２に記載の締結要素。
【請求項４】
締結部は、シャフト部として実現され、例えば回転可能なジャーナルを受けるか、あるいはスナップ結合の形成のための形状の特徴部またはスプリングクリップの取り付け部を有し、シャフト部の外径によって締結部の有効寸法が構成されることを特徴とする請求項１または２に記載の締結要素。
【請求項５】
締結要素はナット要素であり、その締結部は穴を有し、そこに内ネジが設けられるか、たとえばネジ切りまたはネジ形成スクリューを用いて内ネジの形成が予定されており、ネジ付円筒の外径によって締結部またはそれに対応する部分の有効寸法が決まることを特徴とする請求項１または２に記載の締結要素。
【請求項６】
締結要素は中空要素であり、該中空要素は締結部内に回転軸を受けるための穴を有し、穴の径によって締結部の有効寸法が決まることを特徴とする請求項１または２に記載の締結要素。
【請求項７】
締結要素は中空要素であり、該中空要素はクリップマウントを受けるための穴を有し、穴の径によって締結部の有効寸法が決まることを特徴とする請求項１または２に記載の締結要素。
【発明の詳細な説明】
【技術分野】
【０００１】
本発明は、締結部と管状せん孔および／またはリベット部とを有する締結要素に関する。管状せん孔および／またはリベット部は、金属薄板部品に締結要素を取り付けるために設計されたものであり、締結部は金属薄板部品に物品を取り付けるために設計されたものである。締結部から管状せん孔および／またはリベット部への移行領域において、半径方向および／または円錐形状に延在する接触面が設けられ、この接触面は回転を防止する特徴部を選択的に有するものであり、管状せん孔および／またはリベット部の自由端面は、半径方向内側に、自由端面の方向に広がる円錐状傾斜面すなわち切断面を有し、半径方向外側には丸み付けられた押し込みおよび引出し面を有し、斜めの面すなわち切断面と押込みおよび引出し面とは、管状せん孔および／またはリベット部の自由端面において環状端面縁部で接する。
【背景技術】
【０００２】
この種の締結要素は、長年にわたって商品記号表示ＳＢＦ、ＳＢＫ、ＲＳＦおよびＲＳＫとしてさまざまな形態でプロフィル・フェルビンドゥングステヒニックＧｍｂＨ＆Ｃｏ．ＫＧ社によって市販されている。要素自体、また要素の取付方法や使用されるダイボタンは、特許文献１〜３に詳細に説明されている。
【０００３】
この種の締結要素は金属薄板部品に自己せん孔によって導入されるものであるので、要素はせん孔および／またはリベット部を有する。しかしながら、要素は事前に穴あけされた金属薄板に導入されても良い。事前穴あけは一般に、締結要素の取り付け前または取り付け中に直接金属薄板部品にせん孔する、いわゆる先行ホールパンチを用いて行われる。これは、ホールパンチが締結要素を通らなければならないため、たとえばナット要素などの中空体要素として形成された締結要素に対してのみ可能性がある。
【０００４】
中空体要素と同様、せん孔およびリベット部を設け、金属薄板部品をせん孔および／またはリベット部でせん孔し、生じたスラグを取り除くものも可能である。スラグは、チューブおよびリベット部の中に捕捉され、フォローアップエジェクションピンによって取り除かれる。
【０００５】
事前穴あけされた金属薄板部品とともに上述の要素を用いた場合でも、リベット接続の領域において金属薄板部品を管状の鍔状部へ変形処理をしなければならないため、せん孔および／またはリベット部はかなりの程度の変形作業を行わなければならない。せん孔および／またはリベット部は、半径方向断面でみた場合、管状鍔状部に対するＵ字型の断面の凹みを形成するため、管状の鍔状部の自由端面の周囲に半径方向外側に変形される。
【０００６】
せん孔および／またはリベット部の必要条件は、事前穴あけを用いるか否かにかかわらず、要求された変形を行うことができるように十分な安定性を有し、リベットビードの形成後は、目的の接続強度が確保されるようにリベットビードの領域において十分な強度を達成することである。これは、金属薄板部品に物品をしっかりと取り付けるために要求される。締結要素については、さらにこれはせん孔および／またはリベット部の強度がネジの強度等級と対応しなければならないことを意味する。締結要素を金属薄板部品に取り付ける際、せん孔および／またはリベット部はねじれてはならない。一方、せん孔および／またはリベット部は、半径方向断面においてＵ字型のリベットビードに形を作りかえられるように変形性がなくてはならない。
【０００７】
これらの相反する要求によって、管状せん孔および／またはリベット部の半径方向壁厚が締結要素の有効寸法と明らかな関連性を有するようにされている。「締結要素の有効寸法」とは、締結要素に要求される強度である。たとえば、締結要素がボルト要素である場合、締結部の有効寸法はネジ円柱の外径に等しい、すなわち、直径５ｍｍのメートルネジを有する締結要素では、締結部の有効寸法は同様に５ｍｍである。６ｍｍのネジ円柱を有する締結要素では、締結部の有効寸法は６ｍｍである。ナット要素について考えると、有効寸法は正確に同様の方法によって決定される。すなわち、たとえば内径８ｍｍのナット要素では、締結部の有効寸法は８ｍｍであるとされる。また、シャフト部を有し、ジャーナル機能を果たすボルト要素、またはスプリングクリップを受けるか、スナップ接続を形成するように設計されたボルト要素の場合、シャフト部の外径が有効寸法として計算される。たとえば、１０ｍｍの直径を有するシャフト部では、締結部の有効寸法は１０ｍｍとなる。
【０００８】
自由端面の方向に広がる円錐状切断面の形状、および、せん孔および／またはリベット部の半径方向外側に設けられた丸み付けられた押込みおよび引出し面の形状は、対応する仕事を達成するために公知の締結要素において非常に正確に決定される。
【０００９】
公知の要素において、切断面は、管状せん孔および／またはリベット部の中心長手軸に垂直な辺の長さが、締結部の有効寸法によるが、０．２ｍｍ〜０．３ｍｍの仮想の直角三角形の斜辺を有する円錐状面として形成される。この円錐状切断面の意味は、一方では、製造される際半径方向にせん孔スラグを圧縮し、このせん孔スラグがせん孔および／またはリベット部に捕捉されるようにすることである。せん孔および／またはリベット部の続いておきる変形の際に、このようにスラグが捕捉されることで、せん孔および／またはリベット部が硬くなるので有利である。もう一方では、円錐状切断面は、ダイボタンの中央部と共働し、半径方向外側にせん孔および／またはリベット部を偏向させるように働く。両方の機能によって、この切断面が設計の観点からできるだけ広く形成される。
【００１０】
公知の要素における丸み付けられた押込みおよび引出し面は、せん孔および／またはリベット部の内壁に位置する曲率中心を有する。この曲率半径は管状せん孔および／またはリベット部の半径方向の壁厚に対応する長さを有する。他の関連では、公知の要素において丸み付けられた押込みおよび引出し面が管状せん孔および／またはリベット部の円筒状外面に対して接線方向に延在するように曲率中心が設けられている。締結要素の自由端部におけるこの丸み付けられた押込みおよび引出し面は、せん孔および／またはリベット部の自由端面において切断面とともに環状端面縁部を形成し、環状端面縁部における丸み付けられた押込みおよび引出し面の接線が管状せん孔および／またはリベット部の中心長手軸に対して、９０°よりかなり小さい鋭角を形成するように切断面と接する。
【特許文献１】
独国特許第３４４７００６号明細書
【特許文献２】
独国特許第３４４６９７８号明細書
【特許文献３】
独国特許第３８３５５６６号明細書
【発明の開示】
【発明が解決しようとする課題】
【００１１】
前記締結要素が長年の間首尾よく実用に供していたとしても、それらには欠点がある。つまり、事前穴あけがされているか否かに関係なく、要素の取り付けは小さなチップ（欠け）を引き起こし、このようなチップはそのうち、ダイボタンの領域においてまたは使用される工具によっては別の場所に付着し、いずれ詰まりや変形を引き起こす。また、これにより、処理される金属薄板部品にも詰まりや変形が引き起こされ、このようなことは望ましくない。
【００１２】
これら小さなチップの発生は、作業領域が中実の金属からなり、製造工程の進行を妨げることなく製造工程を観測できるようないわゆる観測窓を設けることは不可能であるため、大きなプレスにおいてチップが発生するところを見ることはできず、確認が非常に難しい。
【００１３】
本発明の目的は、それ自体は問題がない取り付け方法を変更することなく、接続の技術的な値を低下することなく、従来使用されてきたダイボタンを引き続き使用することが可能で、かつチップの形成を引き起こさない、または、引き起こされるチップの形成がより小さな、冒頭で述べたような種類の締結要素の改良された形態を提供することである。
【課題を解決するための手段】
【００１４】
この目的を達成するために、円錐状切断面は、管状せん孔および／またはリベット部の中心長手軸に垂直な辺の長さが０．１０ｍｍ±０．０３ｍｍの仮想上の直角三角形の斜辺を形成し、管状せん孔および／またはリベット部の半径方向の壁厚が締結部の有効寸法の関数として決められ、
丸み付けられた押込みおよび引出し面は、対応する半径方向の壁厚よりも０．１ｍｍ±０．０３ｍｍ小さい曲率半径を有し、丸み付けられた押込みおよび引出し面の曲率中心は、環状端面縁部から離れる方向に締結部に向かって延在する軸に平行な仮想上の円柱の表面にあり、よって、仮想上の軸方向に平行な円柱の表面において、せん孔および／またはリベット部に沿った点に位置づけられ、丸み付けられた押込みおよび引出し面に対する接線は、環状端面縁部において中心長手軸に垂直であるという
本発明による条件が定められる。
【００１５】
締結要素の特に好ましい実施例は、従属項にて確認できる。
【００１６】
方法を観測する際に生じる困難性にかかわらず、チップには主要な３つの原因があることを解明できることが証明された。まず、金属薄板部品が切られるときにチップが生じる。また、金属薄板部品が管状鍔部に引き出される際にもチップが生じ、さらに、せん孔および／またはリベット部を、引き出された管状鍔部周囲のダイボタンの凹部に巻き込む際にもチップが生じる。
【００１７】
本発明によれば、さらに、円錐状切断面の領域においてせん孔および／またはリベット部の特別な形状および丸み付けられた押込みおよび引出し面の特別な形状によって、チップの形成傾向は、実質的に減少することが見出され、よって本発明の目的は達成される。
【００１８】
本発明は、次に示す図面を参照して以下に詳細に説明される。
【発明を実施するための最良の形態】
【００１９】
図１〜図１２および図１３〜図１８は特許文献１および特許文献２からとったものであり、そこで詳しく説明されているため、特に方法の手順については個々の図面から直接的に明らかであるので、ここでは簡単に説明する。
【００２０】
図１の締結要素は、スタッドボルト要素１５０である。このスタッドボルト要素１５０は、シャフト部１５４（ネジは図示略）とヘッド部１５２とを含み、ヘッド部１５２は半径方向フランジと管状せん孔およびリベット部１５６とを有する。この実施例では、管状せん孔およびリベット部の外壁１５８は実質的に丸い円筒形状であり、管状せん孔およびリベット部の自由端面において丸みがつけられた押込みおよび引出し端縁１６０で終端している。
【００２１】
管状せん孔およびリベット部の内壁１６４は、この実施例では実質的に円筒形であり、かつ円錐状切断面１６６で終端しており、この円錐状切断面１６６は、せん孔およびリベット部の自由端面の環状端面縁において丸みがつけられた押込みおよび引出し端縁１６０と接する。
【００２２】
図２から分かるように、金属薄板部品２０６がダイボタン１８０によってプレス工具に支持されている。締結要素１５０は、プレスのプランジャーの形態のプレス工具によって金属薄板部品２０６に対して押し付けられ、図３に示すように、せん孔スラグ２１６が生じ、金属薄板部品は管状鍔部２１８（図４）の形状に引き込まれる。せん孔スラグ２１６は、ダイボタンのプランジャー突起１８４によって管状せん孔およびリベット部の内側に押し入れられ、せん孔およびリベット部１５６は、リベットビードが形成されるように、ダイボタン１８０の丸み付けられた巻き込み面２０２によって、図８の端位置に到達するまで管状鍔部２１８の自由端面に沿って半径方向外側に巻き込まれる。
【００２３】
図９は、どのようにして複数のボルト要素がプレスのせん孔ヘッド４７２に次から次へと導入され、プレスのストロークごとにひとつのボルト要素が新たな金属薄板部品へとスタンプされ、リベット留めされるかを示す。図７ではダイボタン特定の形状が示されているが、回転体の形状を有してもよい。すなわち、図７に示される平面的コイニング領域２２０は必ずしも必要ではない。
【００２４】
図１０〜図１２は、ボルト要素の代わりにナット要素が用いられた場合を示し、さらに、この実施例において、どのようにしてナット要素が確実に金属薄板部品６５０へ自己せん孔によって導入されるかを示す。しかし、せん孔スラグは、続いてエジェクションピン６４２によって押し出され、ダイボタン６３２の中央通路６３８を介して排出される。
【００２５】
図１３〜図１８は、どのようにしてナット要素６００がいわゆる先行ホールパンチ１２２を用いて金属薄板部品に挿入されるかを示す。先行ホールパンチ１２２は金属薄板部品の事前穴あけを行うもので、せん孔およびリベット部は、ここでは押込みおよび引出し機能を有するが、金属薄板部品のせん孔には使用されない。使用される取り付け方法や締結要素の正確な設計は別として、示されたすべての要素には、せん孔および／またはリベット部が設けられ、せん孔および／またはリベット部の自由端面には、半径方向内側に円錐状傾斜面すなわち切断面が設けられ、半径方向外側には、丸み付けられた押込みおよび引出し縁部が設けられ、押込みおよび引出し縁部はせん孔およびリベット部の環状端面縁部において円錐状傾斜面と接する。
【００２６】
上述したように、本発明は、チップ（欠け）を確実に回避するための自由端面の領域におけるせん孔およびリベット部の特別な設計に関する。
【００２７】
図１９および図２０の締結要素は、締結部７０２と管状せん孔および／またはリベット部７０４とを有するボルト要素７００である。せん孔および／またはリベット部は、金属薄板部品に締結要素を取り付けるために設計されたものであり、締結部は金属薄板部品に物品を取り付けるために設計されたものである。締結部７０２からせん孔およびリベット部への移行領域では、フランジ部７０６上に形成された半径方向に延在する接触面７０８が設けられ、この特定の実施例では、ノーズ部７１０およびリセス７１２の形態で回転を防止する特徴部が設けられている。回転を防止する特徴部は、作業中、締結要素が金属薄板部品にトルクを伝達しなければならない場合にのみ設けられれば良い。たとえば、物品が締結部７０２に螺合したナットによって金属薄板部品に固定される場合、ナットの螺合による摩擦によって締結要素にトルクが生じ、そのトルクは金属薄板部品によって引き受けられなければならない。そのようなトルクはまた、ナットが外されるときにも生じ、締結要素と金属薄板部品との接続部によって同様に伝達される。
【００２８】
管状せん孔および／またはリベット部の自由端面７１４は、半径方向内側に円錐状切断面７１６を有し、半径方向外側には丸み付けられた押込みおよび引出し面７１８を有する。切断面７１６と押込みおよび引出し面とはせん孔および／またはリベット部の自由端面における環状端面縁部７２０において接する。
【００２９】
管状せん孔および／またはリベット部７０４は、垂直な円筒状外壁７２２と垂直な円筒状内壁７２４とを有する。垂直な円筒状外壁７２２と垂直な円筒状内壁７２４とは、締結要素の中心長手軸７２６に同心配置されている。
【００３０】
本発明による自由端面における管状せん孔および／またはリベット部７０４の設計、すなわち、図２０において細部Ａの位置における設計は、締結部の有効寸法が５ｍｍ、すなわち、締結部７０２の外径が５ｍｍである場合の図２０による締結要素に関して図２１を参照して説明される。
【００３１】
図２１から分かるように、半径方向の断面で考えると、円錐状切断面７１６は、仮想上の直角二等辺三角形の斜辺を形成する。その直角二等辺三角形の等しい長さの辺は、符号７１７、７１９で示されている。辺７１７は、せん孔および／またはリベット部の内壁７２４の仮想上の連続延長部に相当し、斜めの面または傾斜面７１６の出発点から、環状端面縁部７２０から長手方向軸７２６までの仮想上の半径との交差部まで延びる。環状端面縁部からせん孔および／またはリベット部７０４の内壁７２４の仮想上の連続延長部との交差点までの半径の部分は、辺７１９を構成する。この例では、辺７１７および７１９はそれぞれ辺の長さが０．１ｍｍであり、本発明によれば、この辺の長さは、０．１ｍｍ±０．３ｍｍとすることができる。必須ではないが、二等辺三角形が好ましいので、中央長手軸７２６に対する円錐状の交差面のテーパ角が９０°である。せん孔および／またはリベット部７０４の環状端面縁部７２０と半径方向内側面７２４との間の距離は、同様に、０．１ｍｍ（環状端面縁部７２０で測定された半径方向の距離）である。
【００３２】
せん孔および／またはリベット部７０４の半径方向壁厚Ｒは、サイズＭ５のボルト要素のこの例では、１．２５の±０．０５ｍｍである。本発明によれば、丸み付けられた押込みおよび引出し面７１８は、対応する半径方向の壁厚Ｒ（この例では、１．２５ｍｍ）より０．１ｍｍ（±０．０３ｍｍ）小さい曲率半径を有する。さらに、（環状の）丸み付けられた押込みおよび引出し面の曲率中心７２７は、環状端面縁部７２０から離れる方向で締結部７０２に向かって延在する軸方向に平行な仮想上の円柱７２８の表面上にある。さらに、曲率中心７２７は、仮想上の軸方向に平行な円柱７２８の表面において、せん孔および／またはリベット部に沿った点に位置づけられ、環状端面縁部７２０への移行点における丸み付けられた押込みおよび引出し面７１８に対する接線７３０は、符号７２３で示されるように、管状せん孔および／またはリベット部７０４の中心長手軸に垂直である。従って、環状端面縁部７２０上の曲率中心の高さは、同様に、丸み付けられた押込みおよび引出し面７１８の曲率半径に対応して１．１５ｍｍである。
【００３３】
幾何学的関係によって、せん孔および／またはリベット部７０４の自由端部のこのような設計は、丸み付けられた押込みおよび引出し面７１８が環状リベット部の垂直な円筒状壁へ同様に接線方向で続くようにされている。これは、本発明によるサイズＭ６におけるボルト要素の正確な寸法を示す図２２の実施例にも適用される。この実施例では、せん孔および／またはリベット部７０４の半径方向壁厚は同様に１．２５ｍｍである。
【００３４】
しかしながら、図２３および図２４から分かるように、サイズＭ８やＭ１０のボルト要素では関係は異なり、せん孔および／またはリベット部７０４の押込みおよび引出し面７１８への接線７３２は、せん孔および／またはリベット部７０４の円形円筒壁７２２の母線７３４と鋭角を形成する。本発明によれば、この事実は発明の邪魔にはならず、またこれはチップ（欠け）の発生の減少に貢献することが分かった。
【００３５】
細かな寸法は別として、図２２、図２３および図２４が図２１に対応する図であるので、これら図面を別々に説明する必要はない。そのかわり、図２２、図２３および図２４において図２１と同じ符号を用い、図２１の説明が図２２、図２３および図２４を代表するものと考えられる。図面のすべての寸法は、ｍｍで示されており、これらの寸法は図面によって明らかである。
【００３６】
さらに、せん孔および／またはリベット部７０４の自由端面の正確な形状は、この出願に含まれるすべての締結要素に適用されることを記しておく。このような締結要素には、商品記号表示ＳＢＦ，ＳＢＫ；ＲＳＦおよびＲＳＫが付された締結要素、および（ベアリングジャーナル、クリップレシーバ、スナップ接続の形成のためなどの上述した応用例を含む）クレームされた締結要素のすべての可能性のある用途における締結要素が含まれ、チップ（欠け）をなくしたい場合にこれらのタイプの要素に用いることができる。
【００３７】
すべての実施例において、材料は、既存のＳＢＦ，ＳＢＫ；ＲＳＦおよびＲＳＫ要素に用いられる機能要素の材料が挙げられる。そのような材料には、冷間変形の条件下でＩＳＯ（国際標準化機構）標準の第８クラスの強度を達成する合金、例えばＤＩＮ（ドイツ工業規格）１６５４の３５Ｂ２合金が含まれる。このように形成された締結要素は、特に、質の高い金属薄板部品の引き抜き加工のためのすべての市販の鋼材に適し、また、アルミニウムやその他の合金にも適している。アルミニウム合金、特に高強度のアルミニウム合金、例えばＡｌＭｇ５も機能要素に用いることができる。高強度のマグネシウム合金、例えばＡＭ５０の機能要素も検討されうる。
【図面の簡単な説明】
【００３８】
【図１】従来技術に係る金属薄板部品への締結要素の取り付け方法を示す説明図である。
【図２】従来技術に係る金属薄板部品への締結要素の取り付け方法を示す説明図である。
【図３】従来技術に係る金属薄板部品への締結要素の取り付け方法を示す説明図である。
【図４】従来技術に係る金属薄板部品への締結要素の取り付け方法を示す説明図である。
【図５】従来技術に係る金属薄板部品への締結要素の取り付け方法を示す説明図である。
【図６】従来技術に係る金属薄板部品への締結要素の取り付け方法を示す説明図である。
【図７】従来技術に係る金属薄板部品への締結要素の取り付け方法を示す説明図である。
【図８】従来技術に係る金属薄板部品への締結要素の取り付け方法を示す説明図である。
【図９】従来技術に係る金属薄板部品への締結要素の取り付け方法を示す説明図である。
【図１０】従来技術に係る金属薄板部品への締結要素の取り付け方法を示す説明図である。
【図１１】従来技術に係る金属薄板部品への締結要素の取り付け方法を示す説明図である。
【図１２】従来技術に係る金属薄板部品への締結要素の取り付け方法を示す説明図である。
【図１３】従来技術に係る先行してホールパンチを用いたナット要素の取り付け方法を示す説明図である。
【図１４】従来技術に係る先行してホールパンチを用いたナット要素の取り付け方法を示す説明図である。
【図１５】従来技術に係る先行してホールパンチを用いたナット要素の取り付け方法を示す説明図である。
【図１６】従来技術に係る先行してホールパンチを用いたナット要素の取り付け方法を示す説明図である。
【図１７】従来技術に係る先行してホールパンチを用いたナット要素の取り付け方法を示す説明図である。
【図１８】従来技術に係る先行してホールパンチを用いたナット要素の取り付け方法を示す説明図である。
【図１９】本発明に係るボルト要素の形態の締結要素を示す端面図である。
【図２０】本発明に係るボルト要素の形態の締結要素を示す側面図である。
【図２１】Ｍ５の直径を有するボルト要素の図２０の領域Ａにおけるせん孔およびリベット部の寸法を示す説明図である。
【図２２】Ｍ６の直径を有するボルト要素の図２０の領域Ａにおけるせん孔およびリベット部の寸法を示す説明図である。
【図２３】Ｍ８の直径を有するボルト要素の図２０の領域Ａにおけるせん孔およびリベット部の寸法を示す説明図である。
【図２４】Ｍ１０の直径を有するボルト要素の図２０の領域Ａにおけるせん孔およびリベット部の寸法を示す説明図である。
【国際公開パンフレット】
2005504243.tif 000003
2005504243.tif 000004
2005504243.tif 000005
2005504243.tif 000006
2005504243.tif 000007
2005504243.tif 000008
2005504243.tif 000009
2005504243.tif 000010
2005504243.tif 000011
2005504243.tif 000012
2005504243.tif 000013
2005504243.tif 000014
2005504243.tif 000015
2005504243.tif 000016
2005504243.tif 000017
2005504243.tif 000018
2005504243.tif 000019
2005504243.tif 000020
2005504243.tif 000021
2005504243.tif 000022
2005504243.tif 000023
2005504243.tif 000024
2005504243.tif 000025
2005504243.tif 000026
2005504243.tif 000027
2005504243.tif 000028
2005504243.tif 000029
2005504243.tif 000030
【国際調査報告】
2005504243.tif 000031
2005504243.tif 000032
2005504243.tif 000033
2005504243.tif 000034
2005504243.tif 000035
2005504243.tif 000036
2005504243.tif 000037
2005504243.tif 000038